(57)【要約】【課題】  CD等の光ディスクの特殊再生をする場合、アナログレコードの特殊再生を行う場合と同様の操作により特殊再生を行うことができる光ディスク再生装置を提供する。【解決手段】  オーディオデータの読み出し速度及び順序を指示する操作円盤部と、操作円盤部の指示に応じてオーディオデータを読み出す制御をする制御部と、操作円盤部の下面に設けられた弾性部と、操作円盤部及び弾性部を支持する支持部と、操作円盤部の回転速度及び方向を検出し回転検出信号を発生する回転検出部と、操作円盤部が押圧されたことを検出し押圧検出信号を発生する押圧検出部とを備え、制御部は、回転検出信号及び押圧検出信号が入力されると当該回転検出信号に基づいてオーディオデータの読み出し速度及び順序を制御し、回転検出信号のみが入力されると当該回転検出信号に基づいてオーディオデータの読み出し速度のみを制御する。【選択図】  図２
2005267812.tif 000002
【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する円盤状の操作円盤部と、前記操作円盤部の指示に応じて前記記憶部に記憶されたオーディオデータを読み出す制御をする制御部とを備えた光ディスク再生装置において、
前記操作円盤部の下方に設けられた円盤状の弾性部と、前記操作円盤部及び前記弾性部の内周部を支持する支持部と、前記操作円盤部の回転速度及び回転方向を検出し回転検出信号を発生する回転検出部と、前記弾性部の下方に位置し前記操作円盤部の外周部が押圧され前記弾性部が変形することにより前記弾性部と当接し前記操作円盤部の外周部が押圧されたことを検出し押圧検出信号を発生する押圧検出部とを備え、
前記制御部は、前記回転検出信号及び前記押圧検出信号が入力されると当該回転検出信号に基づいて前記記憶部に記憶されたオーディオデータの読み出し速度及び読み出し順序を制御し、前記回転検出信号のみが入力されると当該回転検出信号に基づいて前記記憶部に記憶されたオーディオデータの読み出し速度のみを制御することを特徴とする光ディスク再生装置。
【請求項２】
請求項１に記載の光ディスク再生装置において、
前記制御部は、前記回転検出信号及び前記押圧検出信号の入力の後、前記押圧検出信号の入力が停止し前記回転検出信号のみ入力すると、前記記憶部に記憶されたオーディオデータを予め定められた読み出し速度及び読み出し順序で読み出す制御をすることを特徴とする光ディスク再生装置。
【請求項３】
請求項１又は請求項２記載の光ディスク再生装置において、
前記操作円盤部と前記弾性部の間に、前記操作円盤部と略同一形状のマット部を備えることを特徴とする光ディスク再生装置。
【発明の詳細な説明】
【技術分野】
【０００１】
本発明は、光ディスクから読み取ったオーディオデータを記憶部に記憶し、記憶部に記憶したオーディオデータの読み出し速度及び読み出し順序を指示する操作円盤部を備えた光ディスク再生装置に関する。
【背景技術】
【０００２】
オーディオ再生装置を操作してオーディオデータを再生するDJ（Disc Jockey）は、オーディオデータを再生している間に、擦れ音のような効果音を発生させるスクラッチ再生と呼ばれる特殊再生を行うことがある。DJは、アナログレコードプレーヤを用いてスクラッチ再生を行う場合、アナログレコードを素早く時計回り方向又は反時計回り方向に回すことにより擦れ音を発生させる。また、このアナログレコードプレーヤを用いて行われるスクラッチ再生と同様のスクラッチ再生を行うことが可能な光ディスク再生装置がある。
【０００３】
この光ディスク再生装置は、ジョグダイヤルとメモリを備え、CD（Compact Disc）等の光ディスクから読み取ったオーディオデータをメモリに記憶し、ジョグダイヤルを時計回り方向又は反時計回り方向に回転することにより、メモリに記憶されたオーディオデータの読み出し速度と読み出し順序を制御し、アナログレコードによる擦れ音と同等の効果音を発生させることができる。このように、DJは、CDに記録されたオーディオデータを再生しているとき、ジョグダイヤルをアナログレコードと同じように回転操作することにより、アナログレコードと同様のスクラッチ再生を行うことができる（例えば、特許文献１参照。）。
【０００４】
特許文献１に開示されているような光ディスク再生装置は、ジョグダイヤルが操作されない場合、CDに記録されたオーディオデータを標準速度で再生（以下、通常再生という。）する。ジョグダイヤルが回転操作された場合、光ディスク再生装置は、ジョグダイヤルの回転速度及び回転方向を検出し、検出した回転速度及び回転方向に応じて、CDから再生しメモリに記憶したオーディオデータの読み出し速度及び読み出し順序を制御する。
【０００５】
【特許文献１】特開平１１−８６４４６号公報
【発明の開示】
【発明が解決しようとする課題】
【０００６】
特許文献１に開示されているような光ディスク再生装置において、DJがジョグダイヤルを回転操作してジョグダイヤルから手を離した場合、ジョグダイヤルの回転が、慣性により直ぐに停止しないことがある。スクラッチ再生を行う場合、DJは、時計回り方向又は反時計回り方向にジョグダイヤルを素早く回転させるので、スクラッチ再生を終了し通常再生に戻るためにジョグダイヤルから手を離したとき、ジョグダイヤルは、慣性により回転が停止するまでに時間を要するため、DJが意図したタイミングでスクラッチ再生から通常再生に戻ることができない。したがって、ジョグダイヤルを備えたCDプレーヤでは、アナログレコードと同様にジョグダイヤルを回転操作しても、アナログレコードのスクラッチ再生による効果音と同等の効果音を発生させることができないという課題があった。
【０００７】
また、DJは、アナログレコードプレーヤによりアナログレコードを再生しているとき、アナログレコードを予め定められた回転数より速く回転させたり、遅く回転させるピッチベンドと呼ばれる操作を行う場合がある。DJは、ピッチベンドの操作を行うことにより、オーディオデータの再生速度を変化させて、他のアナログレコードプレーヤから再生されているオーディオデータの再生速度に合わせることができる。そして、再生速度が一致したとき、他のアナログレコードプレーヤから再生されているオーディオデータから、再生速度を合わせたオーディオデータに切り替えることにより、違和感なく２つのオーディオデータを切り替えることができる。特許文献１に開示されているような光ディスク再生装置は、ジョグダイヤルの操作の機能（スクラッチ機能、ピッチベンド機能など）を選択する選択ボタンを備えている。DJは、この選択ボタンを操作することにより、ジョグダイヤルの操作機能をスクラッチ機能からピッチベンド機能に切り替えていた。しかし、アナログレコードプレーヤによる操作に慣れたDJにとっては、この選択ボタンを用いてジョグダイヤルの操作機能の選択を行う操作がアナログレコードプレーヤの操作と異なるため、この光ディスク再生装置の操作に違和感があるという課題があった。
【０００８】
本発明は、上記の課題を解決するためになされたものであり、アナログレコードのスクラッチ再生やピッチベンド再生を行う場合と同様の操作により光ディスクのスクラッチ再生やピッチベンド再生を行うことができる光ディスク再生装置を提供することを目的とする。
【課題を解決するための手段】
【０００９】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する円盤状の操作円盤部と、前記操作円盤部の指示に応じて前記記憶部に記憶されたオーディオデータを読み出す制御をする制御部とを備えた光ディスク再生装置において、前記操作円盤部の下方に設けられた円盤状の弾性部と、前記操作円盤部及び前記弾性部の内周部を支持する支持部と、前記操作円盤部の回転速度及び回転方向を検出し回転検出信号を発生する回転検出部と、前記弾性部の下方に位置し前記操作円盤部の外周部が押圧され前記弾性部が変形することにより前記弾性部と当接し前記操作円盤部の外周部が押圧されたことを検出し押圧検出信号を発生する押圧検出部とを備え、前記制御部は、前記回転検出信号及び前記押圧検出信号が入力されると当該回転検出信号に基づいて前記記憶部に記憶されたオーディオデータの読み出し速度及び読み出し順序を制御し、前記回転検出信号のみが入力されると当該回転検出信号に基づいて前記記憶部に記憶されたオーディオデータの読み出し速度のみを制御することを特徴とする。
【００１０】
また、本願の請求項２記載の発明は、請求項１に記載の光ディスク再生装置において、前記制御部は、前記回転検出信号及び前記押圧検出信号の入力の後、前記押圧検出信号の入力が停止し前記回転検出信号のみ入力すると、前記記憶部に記憶されたオーディオデータを予め定められた読み出し速度及び読み出し順序で読み出す制御をすることを特徴とする。
【００１１】
また、本願の請求項３記載の発明は、請求項１又は請求項２記載の光ディスク再生装置において、前記操作円盤部と前記弾性部の間に、前記操作円盤部と略同一形状のマット部を備えることを特徴とする。
【発明の効果】
【００１２】
本発明の光ディスク再生装置によれば、ジョグダイヤルを用いてスクラッチ再生を行う場合、スクラッチ再生終了後、直ちに、通常再生を再開することができる。また、本発明の光ディスク再生装置によれば、機能切り替えの選択ボタンを必要とせずにジョグダイヤルを用いてピッチベンド操作をすることができる光ディスク再生装置を提供することができる。
【発明を実施するための最良の形態】
【００１３】
以下、本発明の実施の形態を図面に基づいて説明する。本発明の一実施例は、操作部にジョグダイヤルを備え、ジョグダイヤル回転速度及び回転方向に応じて、CDから再生しRAMに記憶されたデジタルオーディオデータの読み出し速度及び読み出し順序を変えることができるCDプレーヤである。
【００１４】
図１は、本発明の一実施例であるCDプレーヤの構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０は出力端子、１１は制御部、１２は操作部、１３は表示部を示す。
【００１５】
スピンドルモータ２に固定されたターンテーブル１は、CDを固定する。操作部１２から再生開始の指示があると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００１６】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００１７】
メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出されDAC９に入力される。DAC９は、デジタルオーディオデータをアナログオーディオ信号に変換する。DAC９により変換されたアナログオーディオ信号は、出力端子１１から出力される。
【００１８】
表示部１３は、現在再生しているトラックの再生時間、トラックナンバー等を表示する。操作部１２は、再生ボタン、再生停止ボタン、イジェクトボタン、ジョグダイヤルを備えている。
【００１９】
図２は、本発明の実施例であるCDプレーヤの操作部１２に備えるジョグダイヤルの側断面を示す図である。図２において、２１はCDプレーヤの筐体部、２１aは支持部、２１bは支持部に設けられた穴、２２は軸受け、２３は回転軸、２４はEリング、２５はワッシャー、２６は弾性部、２６aは切りおこし部、２７はマット部、２８は操作円盤部、２９はガイド部、３０は保持部、３１はネジ、３２はスケール保持部、３３はネジ、３４はスケール部、３５はネジ、３６は回転検出部、３７は押圧検出部、３８は基板、３９はネジ、４０はストッパー部を示す。本実施例のCDプレーヤにおいて、操作円盤部２８は、直径１２cm程度の大きさである。
【００２０】
図２において、筐体部２１には、操作円盤部２８、マット部２７及び弾性部２６を支持する支持部２１aが設けられている。支持部２１aは、回転軸２３を中心とした直径が４〜６cmの円形であり、複数の穴２１bが設けられている。軸受け２２は、Eリング２４により筐体部２１に固定されている。回転軸２３は、ワッシャー２５を介して軸受け２２に挿入されている。支持部２１aは、弾性部２６に設けられた切りおこし部２６aを穴２１bに挿入して弾性部２６を支持する。弾性部２６は、操作円盤部２８と略同一の半径を有し、材質が金属の円盤状の板バネである。また、弾性部２６は、両面テープ等の接着部材によりその内周部が支持部２１aに固定されている。
【００２１】
マット部２７は、操作円盤部２８と略同一の半径を有する形状をした円盤である。このマット部２７は、中心部に回転軸２３が挿入され弾性部２６の上面に載置されている。操作円盤部２８は、材質が塩化ビニル等であり、直径が１２cm程度の大きさの円盤である。操作円盤部２８は、中心部に回転軸２３が挿入されマット部２７の上面に載置されている。したがって、支持部２１aは、弾性部２６、マット部２７及び操作円盤部２８の内周部を支持する。マット部２７は、操作円盤部２８が弾性部２６上で滑らかに回転するために用いられている。このマット部２７は、摩擦係数が小さく、静電気が発生しにくい樹脂材料等からなる。弾性部２６、マット部２７及び操作円盤部２８は、DJが用いるアナログレコードプレーヤにおいて、ターンテーブル、スリップマット及びアナログレコードと対応する。このため、DJは、アナログレコードプレーヤと同様の操作感覚で本実施例のCDプレーヤを操作することができる。
【００２２】
ガイド部２９は、マット部２７の取り付け位置を定める。保持部３０は、操作円盤部２８の上面から、回転軸２３に圧入されている。また、保持部３０は、ネジ３１によりガイド部２９と固定されている。操作円盤部２８は、ガイド部２９と保持部３０により挟持されているため、DJが操作円盤部２８を回転操作すると、操作円盤部２８、保持部３０及び回転軸２３は、一体的に回転する。また、DJが操作円盤部２８の回転状態を視認できるように、保持部３０には、回転位置を示す目印が設けられている。
【００２３】
スケール保持部３２は、回転軸２３の一端にネジ３３で固定されている。スケール部３４は、スケール保持部３２にネジ３５で固定されている。このため、操作円盤部２８とスケール部３４は、回転軸２３を介して一体的に回転することができる。スケール部３４の外周部には、等間隔に長方形状のスリット部が設けられている。スケール部３４の材質が金属の場合、このスリット部は、長方形状の開口部にする。しかし、開口部の形状は、長方形に限られるものではなく、適宜の形状でよい。また、スケール部３４として材質が透明又は半透明のプラスチックなどが用いられている場合は、スリット部を印刷によって形成する。
【００２４】
回転検出部３６は、操作円盤部３０と一体的に回転するスケール部３４の回転状態（回転角度及び回転方向）を検出するための光センサである。回転検出部３６は、光センサa及び光センサbから構成され、スケール部３４のスリット部を検出できるように筐体部２１の裏面に固定されている。回転検出部３６は、スケール部３４に設けられたスリット部を検出すると、２つの光センサから位相が異なる（例えば、９０°の位相差）パルス信号a及びパルス信号bを発生して制御部１１に出力する。本実施例では、この位相の異なるパルス信号a及びパルス信号bを回転検出信号という。
【００２５】
押圧検出部３７は、回転軸２３を中心とした半径Rの円の同一円周上に等間隔で筐体部２１の上面に備えられている。この半径Rは、回転軸２３から操作円盤部２８の外周部までの長さと略等しい。押圧検出部３７の数は、操作円盤部２８の大きさや弾性部２７の弾性強度に応じて定められる。この押圧検出部３７は、例えば、ソフトタッチタイプのプッシュ型スイッチであり、スイッチ部の作動力が弱く（１N以下）、移動量（ストローク）が０．３mm以下のものがよい。
【００２６】
DJが操作円盤部２８の外周部を押すと、弾性部２６、マット部２７及び操作円盤部２８は、図２に示すD点を支点として押圧力により下方向に撓む。このとき、弾性部２６の外周部が押圧検出部３７のスイッチ部を押し下げると、押圧検出部３７は、押圧検出信号を発生して制御部１１に出力する。弾性部２６は、上述したように板バネであり、操作円盤部２８の外周部が押されると、押圧力により弾性変形をし撓む。DJが操作円盤部２８の外周部の押圧を止めると、弾性部２６が弾性変形する前の状態に戻るので、弾性部２６の外周部が押圧検出部３７のスイッチ部の押圧を解除し、押圧検出部３７は、押圧検出信号の出力を停止する。また、筐体部２１の上面には、押圧検出部３７のスイッチ部が定められた移動量より長く移動しないように、操作円盤部２７の撓みによる下方向の移動を制限するストッパー部４０が備えられている。このため、ストッパー部４０は、押圧検出部３７のスイッチ部に必要以上の負荷が加えられることを防ぐことができる。
【００２７】
制御部１１は、回転検出部３６から入力される回転検出信号のパルス信号aとパルス信号bの位相差に基づいて操作円盤部２８の回転方向を判別する。例えば、パルス信号a及びパルス信号bの位相差が９０°である場合、操作円盤部２８が時計回り方向に回転すると、パルス信号aは、パルス信号bに対して、＋９０°の位相差となる。また、操作円盤部２８が反時計回り方向に回転すると、パルス信号aは、パルス信号bに対して、−９０°の位相差となる。また、制御部１１は、一定時間に入力された回転検出信号のパルス信号a又はパルス信号bのどちらか一方のパルス信号のパルス数から操作円盤部２８の回転速度を判別する。
【００２８】
制御部１１は、後述するように、回転検出信号及び押圧検出信号が共に入力されたとき、判別した操作円盤部２８の回転速度及び回転方向に対応した読み出し速度及び読み出し順序でRAM８からデジタルオーディオデータを読み出すようにメモリ制御部７を制御する。メモリ制御部７は、RAM８に記憶されたデジタルオーディオデータの読み出し速度及び読み出し順序（オーディオデータを昇順アドレスで読み出す又は降順で読み出す）を制御する。例えば、制御部１１は、操作円盤部２８が時計回り方向に回転操作されると、その回転速度に応じた読み出し速度で、RAM８に記憶されたデジタルオーディオデータを昇順アドレスで読み出すように制御をする。また、操作円盤部２８が反時計回り方向に回転操作されると、その回転速度に応じた読み出し速度で、RAM８に記憶されたデジタルオーディオデータを降順アドレスで読み出すように制御をする（スクラッチ機能）。
【００２９】
また、制御部１１は、回転検出信号及び押圧検出信号が共に入力されていない状態から回転検出信号のみが入力されたとき、判別した操作円盤部２８の回転方向に応じて、RAM８から読み出すデジタルオーディオデータの読み出し速度を高く又は低くするようにメモリ制御部７を制御する。メモリ制御部７は、RAM８に記憶されたデジタルオーディオデータの読み出し速度を制御する（ピッチベンド機能）。
【００３０】
本実施例のCDプレーヤの再生動作について説明する。図３及び図４は、本実施例のCDプレーヤのCDに記録されたデジタルオーディオデータの再生動作について説明する図である。
DJは、操作部１２の再生ボタンを押すことにより、CDに記録されたオーディオデータの通常再生を開始させる。本実施例のCDプレーヤは、制御部１１に回転検出信号と押圧検出信号が共に入力されていないとき、つまり、操作円盤部２８が回転操作されていないとき通常再生を行う。
【００３１】
スクラッチ再生を行う場合、DJは、通常再生をしているときに手で操作円盤部２８の外周部を押しながら素早く時計回り方向又は反時計回り方向に回転させる。通常、アナログレコードプレーヤを用いてスクラッチ再生を行うとき、ターンテーブルの回転に逆らって素早くアナログレコードを回転させるために、DJは、アナログレコードを押しながら回転操作を行う。また、アナログレコードを回転させるとき、DJは、アナログレコードの内周部よりも外周部に手を添えるほうがアナログレコードを回転させ易い。このため、DJがアナログレコードと同様の操作感覚で操作円盤部２８を操作すると、操作円盤部２８は、外周部が下方向に押圧されながら回転操作される。
【００３２】
DJが操作円盤部２８の外周部を押しながら回転操作すると、弾性部２６、マット部２７及び操作円盤部２８は、図２に示すD点を支点として押圧力により弾性変形し下方向に撓む。このとき、弾性部２６の外周部が１又は複数の押圧検出部３７のスイッチ部を押し下げると、押圧検出部３７は、押圧検出信号を発生して制御部１１に出力する。また、回転検出部３６は、回転しているスケール部３４に設けられたスリット部を検出すると、回転検出信号（上述したパルス信号a及びパルス信号b）を発生して制御部１１に出力する。したがって、DJが操作円盤部２８の外周部を押圧しながら回転操作を開始（図３に示すA点）すると、図３に示すように、回転検出信号及び押圧検出信号が制御部１１に入力される。
【００３３】
制御部１１は、回転検出信号及び押圧検出信号が共に入力されているとき、回転検出信号に基づいて判別した操作円盤部２８の回転速度及び回転方向に対応した読み出し速度及び読み出し順序でRAM８からデジタルオーディオデータを読み出すようにメモリ制御部７を制御する。
【００３４】
DJが操作円盤部２８の外周部を押しながら回転操作しているとき、操作円盤部２８を押す力が強くなっても、操作円盤部２８がストッパー部４０と当接するので、押圧検出部３７に必要以上の負荷が加えられることを防ぐことができる。また、弾性部２６は、接着部材により支持部２１aに固定されているので、操作円盤部２８が回転しても押圧検出部３７に回転力が伝達されない。このため、本実施例のCDプレーヤは、操作円盤部２８の回転操作により押圧検出部３７の破損を防ぐことができる。なお、弾性部２６は、接着部材が剥がれても切りおこし部２６aが支持部２１aに設けられた穴２１bに挿入されているので、弾性部２６が回転することを防ぐことができる。
【００３５】
DJが操作円盤部２８から手を離しスクラッチ再生を終了（図３に示すB点）すると、マット部２７及び操作円盤部２８は、弾性部２６が弾性変形する前の状態に戻り、操作円盤部２８が押圧される前の状態に戻る。弾性部２６が押圧検出部３７のスイッチ部の押圧を解除すると、押圧検出部３７は、制御部１１に押圧検出信号の出力を停止する。制御部１１は、回転検出部３６から回転検出信号が入力されていても、押圧検出部３７から押圧検出信号の入力が停止すると、メモリ制御部７に通常再生時の読み出し速度でRAM８からデジタルオーディオデータを読み出す制御をさせる。すなわち、図３に示すように、制御部１１は、回転検出信号及び押圧検出信号が共に入力されている場合は、回転検出信号に基づいてRAM８からデジタルオーディオデータを読み出す制御をし、押圧検出信号の入力が停止し回転検出信号のみが入力されている状態（図３に示すCの部分）になると、デジタルオーディオデータを通常再生時の読み出し速度でRAM８から読み出す制御をする。したがって、操作円盤部２８が慣性によって回転している間に発生した回転検出信号（図３に示すCの部分）が制御部１１に入力されていても、本実施例のCDプレーヤは、制御部１１に押圧検出信号の入力が停止するとスクラッチ再生から通常再生に戻ることができる。
【００３６】
次に、ピッチベンド操作を行う場合について説明する。ピッチベンド操作を行う場合、DJは、通常再生をしているときに手で操作円盤部２８の内周部を時計回り方向又は反時計回り方向に回転させる。操作円盤部２８の内周部の下方に支持部２１aが設けられているため、操作円盤部２８の内周部を押しながら時計回り方向又は反時計回り方向に回転させるさせても、弾性部２６が弾性変形をしないため、マット部２７及び操作円盤部２８は撓まない。このため、弾性部部２６が押圧検出部３７のスイッチ部の押圧を解除するので、押圧検出部３７は、制御部１１に押圧検出信号を出力しない。一方、回転検出部３６は、操作円盤部２８が回転されているので、スケール部３４に設けられたスリット部を検出し、回転検出信号（パルス信号a及びパルス信号b）を発生して制御部１１に出力する。
【００３７】
制御部１１は、回転検出信号及び押圧検出信号が共に入力されていない状態から、回転検出信号のみが入力される状態になると、回転検出信号のパルス信号aとパルス信号bの位相差に基づいて判別した操作円盤部２８の回転方向に応じて、メモリ制御部７にRAM８から読み出すデジタルオーディオデータの読み出し速度を高く又は低くする制御をさせる。例えば、DJが操作円盤部２８の内周部を時計回り方向に回転操作を開始（図４に示すE点）すると、図４に示すように、回転検出信号のみが制御部１１に入力される。制御部１１は、入力された回転検出信号から操作円盤部２８の回転数（入力されたパルス信号a又はパルス信号bのパルス数）に応じて、RAM８から読み出すデジタルオーディオデータの速度を高くしていくようにメモリ制御部７を制御する。逆に、DJが操作円盤部２８を反時計回り方向に回転操作すると、制御部１１は、入力された回転検出信号から操作円盤部２８の回転数に応じて、RAM８から読み出すデジタルオーディオデータの速度を低くしていくようにメモリ制御部７を制御する。DJが回転操作部２８の回転操作を終了すると、回転検出部３６は、制御部１１に回転検出信号の出力を停止（図４に示すF点）する。制御部１１は、回転検出部３６から回転検出信号の入力が停止すると、メモリ制御部７に通常再生時の読み出し速度でRAM８からデジタルオーディオデータを読み出す制御をさせる。
【００３８】
図５は、本実施例のCDプレーヤの再生動作を説明するフローチャートである。
図５に示すステップ１は、CDに記録されたデジタルオーディオデータを読み取り、読み取ったデジタルオーディオデータをRAM８に記憶するステップである。
ステップ２は、制御部１１が通常再生時の読み出し速度でデジタルオーディオデータをRAM８から読み出す制御をするステップである。制御部１１は、回転検出信号及び押圧検出信号が共に入力されていないとき、メモリ制御部７に通常再生時の読み出し速度でRAM８からデジタルオーディオデータを読み出す制御をする。
【００３９】
ステップ３は、回転検出信号が回転検出部３６から制御部１１に入力されたか否かを制御部１１が判別するステップである。操作円盤部２８が回転操作されると、回転検出部３６は、スケール部３４に設けられたスリット部を検出し回転検出信号（パルス信号a及びパルス信号b）を発生して制御部１１に入力する。回転検出信号が制御部１１に入力された場合はステップ４に進む。
【００４０】
ステップ４は、押圧検出信号が制御部１１に入力されたか否かを制御部１１が判別するステップである。ステップ３において、DJが操作円盤部２８の外周部を押しながら回転操作すると、弾性部２６が弾性変形して押圧検出部３７のスイッチ部を押し下げるので、押圧検出部３７は、押圧検出信号を発生する。また、操作円盤部２８が回転操作されるので、回転検出部３６は、回転検出信号を発生する。したがって、DJが操作円盤部２８の外周部を押圧しながら回転操作を開始（図３に示すA点）すると、制御部１１には、図３に示すように、回転検出信号及び押圧検出信号が共に入力される。制御部１１に回転検出信号及び押圧検出信号が入力された場合はステップ５に進む。
【００４１】
また、ステップ３において、DJが操作円盤部２８の内周部を回転操作すると、押圧力が支持部２１aに加わり弾性部２６が弾性変形をしないため、マット部２７及び操作円盤部２８は撓まない。このため、弾性部２６が押圧検出部３７のスイッチ部の押圧を解除するので、押圧検出部３７は、押圧検出信号を発生しない。また、操作円盤部２８が回転操作されるので、回転検出部３６は、回転検出信号を発生する。したがって、DJが操作円盤部２８の内周部を回転操作すると、制御部１１には、回転検出信号のみが入力される。制御部１１に回転検出信号のみが入力された場合はステップ８に進む。
【００４２】
ステップ５は、制御部１１がジョグダイヤルの操作機能をスクラッチ機能とする制御をするステップである。制御部１１は、図３に示すように、回転検出信号及び押圧検出信号が入力されているとき、ジョグダイヤルの操作機能をスクラッチ機能とする制御をする。そして、制御部１１は、操作円盤部２８が回転操作され回転検出部３６から入力される回転検出信号に基づいて、RAM８から読み出すデジタルオーディオデータの読み出し速度及び読み出し順序（オーディオデータを昇順アドレスで読み出す又は降順で読み出す）を制御する。
【００４３】
ステップ６は、制御部１１に押圧検出信号の入力が停止したか否かを制御部１１が判別するステップである。DJが操作円盤部２８の回転操作を終了すると、マット部２７及び操作円盤部２８は、弾性部２６が弾性変形する前の状態に戻るので、操作円盤部２８が押圧される前の状態に戻る。弾性部２６が押圧検出部３７のスイッチ部を押下げなくなると、押圧検出部３７は、制御部１１に押圧検出信号の入力を停止する。押圧検出信号の入力が停止した場合はステップ７に進む。
【００４４】
ステップ７は、制御部１１が通常再生時の読み出し速度でデジタルオーディオデータをRAM８から読み出す制御をするステップである。制御部１１は、押圧検出信号の入力が停止すると、メモリ制御部７に通常再生時の読み出し速度でRAM８からデジタルオーディオデータを読み出す制御をする。ここで、操作円盤部２８の回転操作が終了した後、図３のCの部分に示すように、操作円盤部２８が慣性により回転し回転検出信号が制御部１１に入力しても、制御部１１は、押圧検出信号の入力が停止すると通常再生を行う制御をする。このため、操作円盤部２８の回転操作を終了すると、スクラッチ再生から通常再生に戻ることができる。
【００４５】
ステップ８は、制御部１１がジョグダイヤルの操作機能をピッチベンド機能とする制御をするステップである。制御部１１は、図４に示すように、回転検出信号のみ入力されているとき、ジョグダイヤルの操作機能をピッチベンド機能とする制御をする。そして、制御部１１は、操作円盤部２８が回転操作され回転検出部３６から入力される回転検出信号に基づいて、メモリ制御部７にRAM８から読み出すデジタルオーディオデータの読み出し速度を高く又は低くする制御する。
【００４６】
ステップ９は、制御部１１に回転検出信号の入力が停止したか否かを制御部１１が判別するステップである。操作円盤部２８の回転が停止すると、回転検出部３６は、制御部１１に回転検出信号の入力を停止する。回転検出信号の入力が停止した場合はステップ７に進む。
【００４７】
上述したように、本実施例のCDプレーヤでは、DJが手で操作円盤部２８の外周部を押しながら回転操作すると、スクラッチ機能として動作する。本実施例のCDプレーヤでは、操作円盤部２８の回転状態に応じてスクラッチ再生を行い、DJが操作円盤部２８から手を離しスクラッチ再生を終了すると、直ちに、スクラッチ再生から通常再生に戻ることができる。また、DJが手で操作円盤部２８の内周部を回転操作すると、ピッチベンド機能として動作する。本実施例のCDプレーヤにおいて、DJは、操作円盤部２８を回転操作する位置を変えるだけで、スクラッチ再生操作及びピッチベンド操作を使い分けることができる。
【図面の簡単な説明】
【００４８】
【図１】本発明の実施例であるCDプレーヤの構成を示すブロック図。
【図２】本発明の実施例のジョグダイヤルの側断面を示す図。
【図３】CDに記録されたデジタルオーディオデータの再生動作について説明する図。
【図４】CDに記録されたデジタルオーディオデータの再生動作について説明する図。
【図５】本発明の実施例のCDプレーヤの再生動作を説明するフローチャート。
【符号の説明】
【００４９】
１…ターンテーブル、２…スピンドルモータ、３…サーボ制御部、４…光ピックアップ、５…再生アンプ、６…信号処理部、７…メモリ制御部、８…RAM、９…DAC、１０…出力端子、１１…制御部、１２…操作部、１３…表示部、２１…筐体部、２１a…支持部、２１b…穴、２２…軸受け、２３…回転軸、２４…Eリング、２５…ワッシャー、２６…弾性部、２６a…切りおこし部、２７…マット部、２８…操作円盤部、２９…ガイド部、３０…保持部、３１…ネジ、３２…スケール保持部、３３…ネジ、３４…スケール部、３５…ネジ、３６…回転検出部、３７…押圧検出部、３８…基板、３９…ネジ、４０…ストッパー部
【図１】
2005267812.tif 000003
【図２】
2005267812.tif 000004
【図３】
2005267812.tif 000005
【図４】
2005267812.tif 000006
【図５】
2005267812.tif 000007